(57)【特許請求の範囲】
【請求項１】
放電灯に電力を供給して点灯させる点灯手段と、
放電灯の周囲の温度を検出する温度検出手段と、
放電灯に供給する電力として、外部から入力された調光レベル信号に応じた電力であって、温度検出手段によって検出された温度には依存しない電力を指示する第１の調光信号を生成する第１の調光手段と、
温度検出手段によって検出された温度が低いほど放電灯に供給する電力として高い電力を指示する第２の調光信号を生成する第２の調光手段と、
温度検出手段によって検出された温度が高いほど放電灯に供給する電力として高い電力を指示する第３の調光信号を生成する第３の調光手段と、
第１〜第３の調光信号のうち、最も高い電力を指示する調光信号に応じて、点灯手段が放電灯に供給する電力を制御する制御手段とを備えることを特徴とする放電灯点灯装置。
【請求項２】
放電灯の周囲の温度に対する、第２の調光信号が指示する電力の変化量は、放電灯の周囲の温度が低いほど大きいことを特徴とする請求項１記載の放電灯点灯装置。
【請求項３】
放電灯の周囲の温度に対する、第３の調光信号が指示する電力の変化量は、放電灯の周囲の温度が高いほど小さいことを特徴とする請求項１記載の放電灯点灯装置。
【請求項４】
第１の調光信号が指示する電力の最大値は、第２の調光信号が指示する電力の最大値よりも大きいことを特徴とする請求項１又は請求項２記載の放電灯点灯装置。
【請求項５】
第１の調光信号が指示する電力の最大値は、第３の調光信号が指示する電力の最大値よりも大きいことを特徴とする請求項１又は請求項３記載の放電灯点灯装置。
【請求項６】
第１の調光信号が指示する電力の最小値は、第２の調光信号が指示する電力の最小値よりも大きく、且つ第３の調光信号が指示する電力の最小値よりも大きいことを特徴とする請求項１〜５のいずれか記載の放電灯点灯装置。
【請求項７】
請求項１〜６のいずれか記載の放電灯点灯装置と、放電灯点灯装置を保持する器具本体と、放電灯点灯装置によって点灯される放電灯とを備えることを特徴とする照明器具。
【発明の詳細な説明】
【技術分野】
【０００１】
本発明は、放電灯点灯装置及び照明器具に関するものである。
【背景技術】
【０００２】
従来から、放電灯点灯装置として、例えば図１７に示すものが提供されている。
【０００３】
この放電灯点灯装置は、直流電源１の両端間に接続された２個のスイッチング素子ＱＨ，ＱＬの直列回路からなるハーフブリッジ回路２と、ハーフブリッジ回路２のローサイドのスイッチング素子ＱＬの両端間に接続された直列コンデンサＣｓ、インダクタＬ、並列コンデンサＣｐの直列回路からなる共振回路４とを備える。放電灯７は、並列コンデンサＣｐの両端間に接続される。
【０００４】
また、ハーフブリッジ回路２のスイッチング素子ＱＨ，ＱＬを交互にオンオフする制御回路３を備える。制御回路３がハーフブリッジ回路２のスイッチング素子ＱＨ，ＱＬを交互にオンオフすると、共振回路４の共振作用により、放電灯７に交流電力が供給されて放電灯７が点灯する。放電灯７に供給される電力の周波数は例えば２０〜２００ｋＨｚである。ここで、共振回路４と放電灯７とによって決定する共振周波数に対し、制御回路３がハーフブリッジ回路２のスイッチング素子ＱＨ，ＱＬをオンオフする周波数（以下、「駆動周波数」と呼ぶ。）が近いほど、放電灯７に供給される電力は大きくなる。制御回路３は、駆動周波数を制御することにより放電灯７を調光制御する。駆動周波数は、通常、共振周波数よりも高い領域で制御される。つまり、駆動周波数が低いほど、放電灯７に供給される電力は増加し、駆動周波数が高いほど、放電灯７に供給される電力は減少して深い調光となる。
【０００５】
また、調光レベル信号８に応じて放電灯７に供給する電力を指示する調光信号を生成する調光回路５を備える。調光レベル信号８としては、例えば、使用者によって操作されるスイッチやリモコン装置（いずれも図示せず）から出力されて使用者の指示する調光レベルを示すものや、照度センサや人感センサの出力に応じた調光レベル信号８を生成する制御ユニット（図示せず）から出力されて状況に応じた調光レベルを示すものが考えられる。調光回路５は、図１８に示すように、一端が定電圧Ｖｃｃに維持され他端が接地された抵抗Ｒ１〜Ｒ３の直列回路と、一端が高電圧側の２個の抵抗Ｒ１，Ｒ２の接続点に接続され他端が接地された抵抗Ｒ４とトランジスタからなるスイッチング素子Ｑ１との直列回路とを備える。スイッチング素子Ｑ１のベースには、調光レベル信号８が入力される。調光レベル信号８は、具体的には例えばＰＷＭ制御に用いられる矩形パルス信号であって、指示する電力が低いほど（つまり、調光が深いほど）デューティ比を高くしてある。そして、低電圧側の抵抗Ｒ２，Ｒ３の接続点の電位が、調光回路５が出力する調光信号Ｓ１として制御回路３に入力される。抵抗Ｒ３には、コンデンサＣ１が並列に接続されている。入力される調光レベル信号８のデューティ（ＤＵＴＹ）比に対し、調光信号Ｓ１の電圧レベルは図１９に示すように単調に減少する。
【０００６】
制御回路３は、図２０に示すように、例えば周知のインバータ駆動用ＩＣからなりハーフブリッジ回路２のスイッチング素子ＱＨ，ＱＬを交互にオンオフ駆動する駆動信号Ａ１，Ａ２を出力する駆動部３１を備える。駆動部３１はコンデンサＣ３を介して接地される端子と抵抗Ｒ８を介して接地される端子とを有し、抵抗Ｒ８を介して接地される端子から流出する電流の電流値が高いほど駆動周波数が低くなる。また、制御回路３は、非反転入力端子に調光信号Ｓ１が入力され出力端子がダイオードＤ１と抵抗Ｒ７とを介して駆動部３１と抵抗Ｒ８との接続点に接続されたオペアンプＯＰ１を備える。ここで、ハーフブリッジ回路２には抵抗６が直列に接続されており、ローサイドのスイッチング素子ＱＬに流れる電流が、抵抗６によって電圧に変換され、フィードバック信号Ｂ１として抵抗Ｒ５を介してオペアンプＯＰ１の反転入力端子に入力されるようになっている。また、オペアンプＯＰ１の反転入力端子と出力端子との間には、抵抗Ｒ６とコンデンサＣ２との並列回路が接続されている。すなわち、調光信号の電圧レベルが高いほど、又はローサイドのスイッチング素子ＱＬに流れる電流が少ないほど、オペアンプＯＰ１の出力端子の電位が低くなることにより、駆動部３１から抵抗Ｒ７を通じて流出する電流が増加し、駆動周波数が低下して共振周波数に近付き、すなわち放電灯７に供給される電力が増加する。つまり、放電灯７に供給される電力が、調光信号Ｓ１の電圧レベルに応じた一定値となるようにフィードバック制御されるのであり、調光信号Ｓ１の電圧レベルによって放電灯７に供給される電力が指示されている。
【０００７】
ところで、温度が低い場合、放電灯７の管内に封入された水銀蒸気圧が上昇しにくいために、発光効率が低下し光束が大幅に低下するとともに、放電灯７の点灯維持に最低限必要な電力が著しく上昇し、制御回路３が放電灯７に供給される電力を低下させる深い調光の際に放電灯７に立ち消えやちらつきが発生することがあった。
【０００８】
上記のような立ち消えやちらつきの発生を抑える方法としては、例えば低温時にフィードバック信号Ｂ１の電圧レベルを低くするという方法（例えば、特許文献１参照）や、放電灯７の周囲の温度が低いほど調光信号Ｓ１の電圧レベルを高くするという方法（例えば、特許文献２参照）がある。
【特許文献１】特開平３−１１６６９５号公報
【特許文献２】特開平５−８９９９２号公報
【発明の開示】
【発明が解決しようとする課題】
【０００９】
ここで、家庭用の照明器具には、透光性を有する材料からなるセード（図示せず）により放電灯７と放電灯点灯装置とを覆うものがある。このような照明器具では、放電灯や放電灯点灯装置が放射する熱がセード内にこもって高温となりやすく、放電灯７の周囲で６０〜７０℃となることもある。放電灯７は２５〜４０℃の環境下で発光効率が最大となるように設計されており、上記のように高温の環境下では発光効率が著しく低下する。また、放電灯７のインピーダンスは温度に対して減少するから、高温の環境下では、調光を深くしたときに放電灯７に供給される電力が過度に減少しやすく、放電灯７に立ち消えやちらつきが発生することがあった。
【００１０】
しかし、低温時の深い調光に伴う放電灯の立ち消えやちらつきの発生を抑える上記従来の方法では、高温時の深い調光に伴う立ち消えやちらつきの発生を抑えることができない。例えば、図１８の調光回路５では図２１に示すように温度にはほとんど依存しない調光信号Ｓ１の電圧レベルの最大値Ｓ１Ｈや最小値Ｓ１Ｌを、破線Ｓ１Ｈ，Ｓ１Ｌで示すように温度が低くなるほど高くなるようにした場合、低温時においては調光信号Ｓ１の電圧レベルを確保して立ち消えやちらつきの発生を抑えることができるものの、高温時には調光信号Ｓ１の電圧レベルの最小値Ｓ１Ｌが小さくなるから、却って立ち消えやちらつきが発生しやすくなる。
【００１１】
そこで、高温時の立ち消えやちらつきを抑えるには、上記とは逆に調光信号Ｓ１の電圧レベルを温度が高くなるほど高くすることが考えられるが、この場合には、低温時に立ち消えやちらつきが発生しやすくなる。
【００１２】
本発明は上記事由に鑑みて為されたものであり、その目的は、低温時と高温時との両方で深い調光に伴う放電灯の立ち消えやちらつきの発生を抑えることができる放電灯点灯装置及び照明器具を提供することにある。
【課題を解決するための手段】
【００１３】
請求項１の発明は、放電灯に電力を供給して点灯させる点灯手段と、放電灯の周囲の温度を検出する温度検出手段と、放電灯に供給する電力として、外部から入力された調光レベル信号に応じた電力であって、温度検出手段によって検出された温度には依存しない電力を指示する第１の調光信号を生成する第１の調光手段と、温度検出手段によって検出された温度が低いほど放電灯に供給する電力として高い電力を指示する第２の調光信号を生成する第２の調光手段と、温度検出手段によって検出された温度が高いほど放電灯に供給する電力として高い電力を指示する第３の調光信号を生成する第３の調光手段と、第１〜第３の調光信号のうち、最も高い電力を指示する調光信号に応じて、点灯手段が放電灯に供給する電力を制御する制御手段とを備えることを特徴とする。
【００１４】
この発明によれば、低温時には第２の調光信号によって、高温時には第３の調光信号によって、それぞれ放電灯に供給される電力が確保されるから、低温時と高温時との両方で深い調光に伴う放電灯の立ち消えやちらつきの発生を抑えることができる。
【００１５】
請求項２の発明は、請求項１の発明において、放電灯の周囲の温度に対する、第２の調光信号が指示する電力の変化量は、放電灯の周囲の温度が低いほど大きいことを特徴とする。
【００１６】
この発明によれば、第２の調光信号によって制限される低温域での調光信号の最小値を、放電灯の温度特性に対応したより適切な値とすることができる。
【００１７】
請求項３の発明は、請求項１の発明において、放電灯の周囲の温度に対する、第３の調光信号が指示する電力の変化量は、放電灯の周囲の温度が高いほど小さいことを特徴とする。
【００１８】
この発明によれば、第３の調光信号によって制限される高温域での調光信号の最小値を、放電灯の温度特性に対応したより適切な値とすることができる。
【００１９】
請求項４の発明は、請求項１又は請求項２の発明において、第１の調光信号が指示する電力の最大値は、第２の調光信号が指示する電力の最大値よりも大きいことを特徴とする。
【００２０】
請求項５の発明は、請求項１又は請求項３の発明において、第１の調光信号が指示する電力の最大値は、第３の調光信号が指示する電力の最大値よりも大きいことを特徴とする。
【００２１】
請求項６の発明は、請求項１〜５のいずれかの発明において、第１の調光信号が指示する電力の最小値は、第２の調光信号が指示する電力の最小値よりも大きく、且つ第３の調光信号が指示する電力の最小値よりも大きいことを特徴とする。
【００２２】
請求項７の発明は、請求項１〜６のいずれか記載の放電灯点灯装置と、放電灯点灯装置を保持する器具本体と、放電灯点灯装置によって点灯される放電灯とを備えることを特徴とする。
【発明の効果】
【００２３】
本発明は、放電灯の周囲の温度が低いほど放電灯に供給する電力として高い電力を指示する第２の調光信号を生成する第２の調光手段と、放電灯の周囲の温度が高いほど放電灯に供給する電力として高い電力を指示する第３の調光信号を生成する第３の調光手段と、第１〜第３の調光信号のうち、最も高い電力を指示する調光信号に応じて、点灯手段が放電灯に供給する電力を制御する制御手段とを備えるので、低温時には第２の調光信号によって、高温時には第３の調光信号によって、それぞれ放電灯に供給される電力が確保されるから、低温時と高温時との両方で、深い調光に伴う放電灯の立ち消えやちらつきの発生を抑えることができる。
【発明を実施するための最良の形態】
【００２４】
以下、本発明を実施するための最良の形態について、図面を参照しながら説明する。
【００２５】
本実施形態の基本構成は従来例と共通であるので、共通する部分については同じ符号を付して説明を省略する。
【００２６】
本実施形態は、図１に示すように、従来例と共通の調光信号（以下、「第１の調光信号」と呼ぶ。）Ｓ１を生成する調光回路（以下、「第１の調光回路」と呼ぶ。）５に加え、放電灯７の周囲の温度が低いほど放電灯７に供給する電力として高い電力を指示する第２の調光信号Ｓ２を生成する第２の調光回路９と、放電灯の周囲の温度が高いほど放電灯に供給する電力として高い電力を指示する第３の調光信号Ｓ３を生成する第３の調光回路１０とを備える。また、図２に示すように第１〜第３の調光信号Ｓ１〜Ｓ３のうち最も電圧レベルの高い調光信号Ｓ４をオペアンプＯＰ１の非反転入力端子に入力する選択部３２を制御回路３に設けている。
【００２７】
具体的に説明すると、第２の調光回路９及び第３の調光回路１０は、それぞれ、図３（ａ）（ｂ）に示すように、温度検出手段としてのＮＴＣ型のサーミスタＮＴＣ１，ＮＴＣ２と抵抗Ｒ９，Ｒ１０との直列回路の一端を定電圧Ｖｃｃに維持するとともに他端を接地してなり、それぞれサーミスタＮＴＣ１，ＮＴＣ２と抵抗Ｒ９，Ｒ１０との接続点の電位が調光信号Ｓ２，Ｓ３となる。各サーミスタＮＴＣ１，ＮＴＣ２は、それぞれ放電灯７の周囲の温度に応じた温度となる場所、例えば放電灯７の近傍に設置される。第２の調光回路９は、サーミスタＮＴＣ１が低電圧側に接続されることにより、温度が低いほど高い電圧レベルの調光信号Ｓ２を出力する。第３の調光回路１０は、サーミスタＮＴＣ２が高電圧側に接続されることにより、温度が高いほど高い電圧レベルの調光信号Ｓ３を出力する。
【００２８】
選択部３２は、例えば第１〜第３の調光信号Ｓ１〜Ｓ３の経路にそれぞれ挿入されたダイオードＤ２〜Ｄ４からなる。
【００２９】
図４（ａ）に示すように、低温では温度が低いほど電圧レベルが高くなる第２の調光信号Ｓ２の電圧レベル（以下、単に「第２の調光信号Ｓ２」という。）が第１の調光信号Ｓ１の電圧レベル（以下、単に「第１の調光信号Ｓ１」という。）の最小値Ｓ１Ｌよりも高くなり、高温では温度が高いほど電圧レベルが高くなる第３の調光信号Ｓ３の電圧レベル（以下、単に「第３の調光信号Ｓ３」という。）が第１の調光信号Ｓ１の最小値Ｓ１Ｌよりも高くなる。また、第１の調光信号Ｓ１の最小値Ｓ１Ｌは第２の調光信号Ｓ２の最小値と第３の調光信号Ｓ３の最小値とのいずれよりも高く、常温付近（例えば１５〜５０℃）では第１の調光信号Ｓ１の最小値Ｓ１Ｌが第２の調光信号Ｓ２と第３の調光信号Ｓ３とのいずれよりも高くなるように、抵抗Ｒ９，Ｒ１０やサーミスタＮＴＣ１，ＮＴＣ２は選択されている。つまり、図４（ｂ）に示すように、オペアンプＯＰ１の非反転入力端子に入力される調光信号Ｓ４の最小値Ｓ４Ｌは、常温付近では第１の調光信号Ｓ１の最小値Ｓ１Ｌとなり、低温域では第２の調光信号Ｓ２となり、高温域では第３の調光信号Ｓ３となる。
【００３０】
また、少なくとも使用が想定される温度範囲（例えば、−１０〜８０℃の温度範囲）内では、第１の調光信号Ｓ１の最大値Ｓ１Ｈが常に第２の調光信号Ｓ２と第３の調光信号Ｓ３とを上回るようにしてあり、オペアンプＯＰ１の非反転入力端子に入力される調光信号Ｓ４の最大値Ｓ４Ｈは常に第１の調光信号の最大値Ｓ１Ｈとなる。つまり、温度がどのように変化しても、調光信号Ｓ４が第１の調光信号Ｓ１の最大値Ｓ１Ｈを超えることがなく、回路部品に過剰な電気的及び熱的ストレスがかからないようになっている。ここで、十分に視認性の高い調光を可能とするために、上記温度範囲の上限と下限とのいずれにおいても、調光信号Ｓ４の最小値Ｓ４Ｌは最大値Ｓ４Ｈの５０％以下とすることが望ましい。また、第２の調光回路９でサーミスタＮＴＣ１の抵抗値を無限大としたときに第２の調光信号Ｓ２が、第３の調光回路１０でサーミスタＮＴＣ２の抵抗値をゼロとしたときに第３の調光信号Ｓ３が、それぞれ第１の調光信号Ｓ１の最大値を超えないようにすれば、選択部３２が出力する調光信号Ｓ４がいかなる温度でも第１の調光信号Ｓ１の最大値Ｓ１Ｈを超えることがないから望ましい。
【００３１】
上記構成によれば、低温時には第２の調光信号Ｓ２によって温度が低いほど調光信号Ｓ４の最小値Ｓ４Ｌが高くされ、高温時には第３の調光信号Ｓ３によって温度が高いほど調光信号Ｓ４の最小値Ｓ４Ｌが高くされるから、低温時と高温時との両方で、深い調光時に調光信号Ｓ４の指示する電力が低くなりすぎることによるちらつきや立ち消えの発生を抑えることができる。
【００３２】
なお、選択部３２の構成は図２のものに限られず、例えば図５に示すように、それぞれ第１〜第３の調光信号Ｓ１〜Ｓ３がベースに入力され、コレクタが定電圧Ｖｃｃに維持され、エミッタが抵抗Ｒ１１を介して接地されるとともにオペアンプＯＰ１の非反転入力端子に接続されてエミッタホロワを構成する３個のトランジスタＱ２〜Ｑ４で選択部３２を構成してもよい。
【００３３】
また、図６に示すように、選択部３２が出力する調光信号Ｓ４を抵抗Ｒ１２，Ｒ１３で分圧したものを調光信号Ｓ５としてオペアンプＯＰ１に入力してもよい。図６の例では、選択部３２とオペアンプＯＰ１との間に別のオペアンプＯＰ２を用いたボルテージホロワを挿入している。この構成を採用すれば、分圧された調光信号Ｓ５と同程度にフィードバック信号Ｂ１の電圧レベルを低くすることができるから、抵抗６の抵抗値を小さくして抵抗Ｒ６による消費電力を低減することができる。さらに、抵抗Ｒ１２，Ｒ１３の一方に、放電灯７の周囲の温度に応じた温度となる場所に配置したサーミスタを用いれば、温度に応じて調光レベル信号８と調光信号Ｓ５との関係を変化させることができる。例えば、低電圧側の抵抗Ｒ１３をサーミスタに置換すれば、一定の調光レベル信号８に対する調光信号Ｓ５の電圧レベルが温度が高いほど低くなり、図７に示すように調光信号Ｓ５の最大値Ｓ５Ｈや最小値Ｓ５Ｌも温度が高いほど低くなるから、高温時に放電灯７や回路部品にかかる負荷を低減するとともに放電灯７の発光効率を向上することができる。
【００３４】
さらに、第２の調光回路９を、図８に示すように、一端が定電圧Ｖｃｃに維持された２個の抵抗Ｒ１４，Ｒ１５の直列回路と、この直列回路の他端に一端が接続され他端が接地されるとともに放電灯７付近に配置されたＮＴＣ型のサーミスタＮＴＣ３と、サーミスタＮＴＣ３に並列に接続された抵抗Ｒ１６とで構成し、第２の調光信号Ｓ２を抵抗Ｒ１４，Ｒ１５の接続点から出力するようにしてもよい。サーミスタＮＴＣ３としては、具体的には図９に示すように温度が高くなるほど温度に対する抵抗値の変化量が小さくなるＮＴＣサーミスタ（例えば村田製作所製のＮＣＰ１８ＸＨ１０３Ｆ）を用いる。この構成を採用すれば、図１０（ａ）（ｂ）に示すように、第２の調光信号Ｓ２並びに選択部３２が出力する調整信号Ｓ４の最小値の低温域での値は、温度が低くなるほど温度に対する変化量が大きくなる。ここで、放電灯７の点灯維持に最低限必要な電力の温度に対する変化量は、温度が低くなるほど増大する傾向がある。放電灯７の光出力も同様に、温度が低くなるほど温度に対する変化が急激になる。つまり、図１０（ｂ）の調光信号Ｓ４が、図４（ｂ）の調光信号Ｓ４に比べ、放電灯７の温度特性により近く適切であるということになる。
【００３５】
また、第３の調光回路１０を、図１１に示すように、一端が定電圧Ｖｃｃに接続されるとともに放電灯７付近に配置されたＮＴＣ型のサーミスタＮＴＣ４と、サーミスタＮＴＣ４の他端に一端が接続され他端が接地された抵抗Ｒ１８，Ｒ１９の直列回路と、サーミスタＮＴＣ４に並列に接続された抵抗Ｒ１７とで構成し、第３の調光信号Ｓ３を、抵抗Ｒ１８，Ｒ１９の接続点から出力するようにしてもよい。サーミスタＮＴＣ４としては、例えば図９に示した温度特性のものを用いる。この構成を採用すれば、図１２（ａ）（ｂ）に示すように、第３の調光信号Ｓ３並びに選択部３２が出力する調光信号Ｓ４の最小値の高温域での値は、温度が高くなるほど温度に対する変化量が小さくなる。ここで、放電灯７の点灯維持に最低限必要な電力や、放電灯７の光出力は、高温時には低温時ほどには低下しない。従って、高温時には調光信号Ｓ４の電圧レベルを低温時ほどには高く維持する必要がないのであり、むしろ調光範囲を広くとるために第３の調光信号Ｓ３は低く抑えたほうがよい。すなわち、図１２（ｂ）の調光信号Ｓ４が、図１０（ｂ）や図４（ｂ）の調光信号Ｓ４に比べ、放電灯７の温度特性により近く適切であるということになる。
【００３６】
さらに、図１３に示すように、図６に示した制御回路３における分圧用の抵抗Ｒ１２，Ｒ１３の一方の抵抗Ｒ１３を、可変抵抗器ＶＲ１に置換してもよい。この構成を採用すれば、図１４に示すように、オペアンプＯＰ１に入力される調光信号Ｓ５の、調光レベル信号８のデューティ比に対する変化量を、実線１Ｍで示すように可変抵抗器ＶＲ１の抵抗値を中程度としたときに比べ、実線１Ｌで示すように可変抵抗器ＶＲ１の抵抗値を小さくしたときには小さく、実線１Ｈで示すように可変抵抗器ＶＲ１の抵抗値を大きくしたときには大きくするといったように微調整することができる。また、図１４のように可変抵抗器ＶＲ１によって調光信号Ｓ５と調光レベル信号８のデューティ比との関係を大きく変化させることができるから、構成部品の定数ばらつきを十分吸収できる。可変抵抗器ＶＲ１の抵抗値による調光信号Ｓ５の変化量は、調光レベル信号８のデューティ比が大きいときすなわち調光比が低い（調光が深い）ときよりも、調光レベル信号８のデューティ比が小さいときすなわち調光比が高いときに大きいから、可変抵抗器ＶＲ１の調整は、調光比が高い時を想定した放電灯７への供給電力の調整に適する。
【００３７】
また、図１８に示した第１の調光回路５における抵抗Ｒ１，Ｒ２の接続点とスイッチング素子Ｑ１との間に接続された抵抗Ｒ４を、可変抵抗器ＶＲ２に置換してもよい。可変抵抗器ＶＲ２の抵抗値を中程度としたとき、可変抵抗器ＶＲ２の抵抗値を大きくしたとき、可変抵抗器ＶＲ２の抵抗値を小さくしたときの、調光レベル信号８のデューティ比と調光信号Ｓ５の電圧レベルとの関係を、それぞれ図１５に実線２Ｍ，２Ｈ，２Ｌで示す。可変抵抗器ＶＲ２の抵抗値による調光信号Ｓ５の変化量は、調光レベル信号８のデューティ比が小さいときすなわち調光比が高いときよりも、調光レベル信号８のデューティ比が大きいときすなわち調光比が低い（調光が深い）ときに大きいから、可変抵抗器ＶＲ２の調整は、調光比が低い時を想定した放電灯７への供給電力の調整に適する。ここで、調光信号Ｓ５に与える影響は全体として可変抵抗器ＶＲ１の方が可変抵抗器ＶＲ２よりも大きいから、図１３の例において可変抵抗器ＶＲ１，ＶＲ２を操作して放電灯７の光出力を調整するに当たっては、先に可変抵抗器ＶＲ１を操作して全光点灯時の放電灯７の光出力を調整し、次に可変抵抗器ＶＲ２を操作して最も深い調光時の放電灯７の光出力を調整する。
【００３８】
また、第２の調光回路Ｓ２や第３の調光回路Ｓ３にサーミスタＮＴＣ１〜ＮＴＣ４を備える代わりに、放電灯７の周囲の温度を検出する温度検出手段（図示せず）を別途備え、第２の調光回路Ｓ２や第３の調光回路Ｓ３が温度検出手段の出力に応じた調光信号Ｓ２，Ｓ３を出力するものとしてもよい。温度検出手段としては、サーミスタを用いるものの他、回路部品に流れる電流や回路部品にかかる電圧に基いて温度を検出するものや、放電灯７の光束や照度に基いて温度を検出するものが考えられる。さらに、サーミスタＮＴＣ１〜ＮＴＣ４を配置する位置や、温度検出手段が温度を検出する位置は、放電灯７付近に限られず、放電灯７の周囲の温度に対応する温度となる位置であればよい。
【００３９】
さらに、ハーフブリッジ回路２を用いたハーフブリッジ形のインバータ回路を用いる代わりに、フルブリッジ形や一石形や並列形やプッシュプル形など他の周知のインバータ回路を用いてもよい。
【００４０】
上述した放電灯点灯装置は、図１６（ａ）（ｂ）に示す照明器具に用いることができる。この照明器具は、天井面に固定されるとともに環形状の放電灯７を保持する器具本体１２と、放電灯７の上側に配置され放電灯７の光を反射する反射板１４と、放電灯点灯装置を構成する回路部品が実装され器具本体１２に収納されたプリント配線盤１５と、透光性を有する材料からなり器具本体１２に結合して放電灯７と反射板１４とを覆うセード１３とを備える。なお、放電灯７は環形状に限られず、直管形や電球形やコンパクト形であってもよい。
【図面の簡単な説明】
【００４１】
【図１】本発明の実施形態を示す回路図である。
【図２】同上の制御回路を示す回路図である。
【図３】（ａ）（ｂ）はそれぞれ同上の要部を示す回路図であり、（ａ）は第２の調光回路を示し、（ｂ）は第３の調光回路を示す。
【図４】（ａ）（ｂ）はそれぞれ同上の動作を示す説明図である。
【図５】同上の選択部の別の例を示す回路図である。
【図６】同上の制御回路の別の例を示す回路図である。
【図７】同上の別の形態の動作を示す説明図である。
【図８】同上の更に別の形態における第２の調光回路を示す回路図である。
【図９】図８や図１１の例におけるサーミスタの動作特性を示す説明図である。
【図１０】（ａ）（ｂ）はそれぞれ同上の更に別の形態の動作を示す説明図である。
【図１１】同上の別の形態における第３の調光回路を示す回路図である。
【図１２】（ａ）（ｂ）はそれぞれ同上の別の形態の動作を示す説明図である。
【図１３】同上の更に別の形態を示す回路図である。
【図１４】図１３の例の動作を示す説明図である。
【図１５】図１３の例の動作を示す説明図である。
【図１６】（ａ）（ｂ）はそれぞれ本発明の実施形態に係る照明器具を示す図であり、（ａ）は斜視図、（ｂ）は断面図である。
【図１７】従来例を示す回路図である。
【図１８】同上の調光回路を示す回路図である。
【図１９】同上の調光回路の動作を示す説明図である。
【図２０】同上の制御回路を示す回路図である。
【図２１】同上の調光回路の動作の別の例を示す説明図である。
【符号の説明】
【００４２】
３  制御回路
５  第１の調光回路
７  放電灯
９  第２の調光回路
１０  第３の調光回路
【図１】
0004479604.tif 000002
【図２】
0004479604.tif 000003
【図３】
0004479604.tif 000004
【図４】
0004479604.tif 000005
【図５】
0004479604.tif 000006
【図６】
0004479604.tif 000007
【図７】
0004479604.tif 000008
【図８】
0004479604.tif 000009
【図９】
0004479604.tif 000010
【図１０】
0004479604.tif 000011
【図１１】
0004479604.tif 000012
【図１２】
0004479604.tif 000013
【図１３】
0004479604.tif 000014
【図１４】
0004479604.tif 000015
【図１５】
0004479604.tif 000016
【図１６】
0004479604.tif 000017
【図１７】
0004479604.tif 000018
【図１８】
0004479604.tif 000019
【図１９】
0004479604.tif 000020
【図２０】
0004479604.tif 000021
【図２１】
0004479604.tif 000022